(57)【特許請求の範囲】
【請求項１】
フラットディスプレイ型の表示パネル部に文字情報を含む映像を表示する映像表示装置において、
前記表示パネルの背面に前記表示パネル部と略同じサイズのアンテナ部を前記表示パネル部と重ねて形成し、
前記アンテナ部は、略マトリクス状に形成された複数のアンテナよりなり、
前記複数のアンテナのうち選択されたエリアのアンテナをＯＮとし、前記選択されたエリアに非接触型カードが接触すべきエリアであることを示す表示を行って、非接触型カードの情報を前記アンテナ部により読み取る映像表示装置。
【請求項２】
前記表示パネル部の背面に形成された前記アンテナ部は、複数のエリア毎に並べて形成され、前記表示パネル部に表示される映像と対応させることを特徴とする請求項１に記載の映像表示装置。
【請求項３】
前記表示パネル部には、前記非接触型カードの接触操作時に、該接触操作に関連する情報を表示することを特徴とする請求項１又は２に記載の映像表示装置。
【請求項４】
前記表示パネル部を含むディスプレイユニットは、前記表示パネル部及び前記アンテナ部に加えて、前記複数のアンテナのうち該当するアンテナを検知するアンテナ検知部及び前記各部の動作を制御するコントロール部を備えることを特徴とする請求項１乃至３の何れかに記載の映像表示装置。
【請求項５】
前記ディスプレイユニットは、前記非接触型カードの検知結果に基づいて他の機器・システムを起動するトリガを出力することを特徴とする請求項４に記載の映像表示装置。
【請求項６】
フラットディスプレイ型の表示パネル部及び該表示パネル部の背面に設けられた前記表示パネル部と略同じサイズであり、複数のアンテナよりなるアンテナ部を有するディスプレイユニットの前記表示パネル部に映像を表示する映像表示装置の映像表示方法において、
前記表示パネル部に１以上の映像を表示して前記利用者に提供するステップと、
前記表示パネル部に表示される映像に対応して起動される前記アンテナ部のタッチエリアを設定し、設定したタッチエリアに非接触型カードが接触すべきエリアであることを示す表示を行うステップと、
前記設定されたタッチエリアにタッチされた非接触型カードの情報を前記アンテナ部により読み取るステップとを含むことを特徴とする映像表示方法。
【請求項７】
前記表示される映像は、広告宣伝映像であり、前記非接触型カードのタッチエリアは、前記表示パネル部に映像で表示されることを特徴とする請求項６に記載の映像表示方法。
【請求項８】
前記タッチエリアのアンテナ部で前記非接触型カードの情報を読み取ったとき、他の機器を起動させるステップを更に含むことを特徴とする請求項６又は７に記載の映像表示方法。
【発明の詳細な説明】
【技術分野】
【０００１】
本発明は映像表示装置及び方法に関し、特に非接触型のカードリーダを内蔵する映像表示装置及び方法に関する。
【背景技術】
【０００２】
液晶表示パネル（ＬＣＤ）、プラズマディスプレイパネル（ＰＤＰ）及びＥＬ表示パネル等を含むフラットディスプレイパネルのディスプレイ技術及び応用技術の進歩により、小型から大型までの所望表示サイズのディスプレイユニットが市販されている。これらのディスプレイユニットは、映像（文字情報を含む）表示手段として比較的安価に入手可能であり、種々の映像を表示する映像表示装置として広く実用化されている。
【０００３】
斯かるディスプレイユニットを含む映像表示装置は、従来の掲示板、表示盤、標識等の代替装置として普及しつつある。斯かるディスプレイユニットを含む映像表示装置によると、表示される映像を必要に応じて適宜且つ迅速に変更又は更新が可能であるので、従来の掲示板、表示盤、標識等に対して優位性を有する。
【０００４】
斯かる映像表示装置は、例えば地図（道路）情報、各種施設（例えば、美術館、図書館、博物館、遊園地、ショッピングセンタ等）の各施設や展示物の案内、イベント会場のイベント、新商品その他の商品の広告宣伝、店舗や自動販売機で販売する商品や料理メニュー等の映像の表示に好適である。その理由は、これら表示対象は季節その他の理由で定期的又は比較的頻繁に変化し得るので、従来の固定的な表示手段では、適切に対応することが不可能又は困難である。
【０００５】
また、斯かる映像表示装置に表示される表示対象である映像に基づいて、他の機器やシステムを起動させたい場合もある。例えばマンションや高度のセキュリティが要求される施設では、ドアに電気錠を設け、利用者が所持する携帯端末等に内蔵された非接触カード（ＩＣカード）を所定の検出部に接触させることにより、予め登録された者のみに開錠して入室を許可する用途がある。また、映像表示装置に表示可能な情報にも表示限界があるので、表示された地図情報中の特定エリアの詳細情報を非接触カードの接触により携帯端末にダウンロードして取り込みたい場合もある。更に、映像表示装置に表示されたレストラン街における特定レストランのメニュー情報の入手や予約等を行いたい場合もある。また、店舗で販売する多数の商品の映像情報から特定の商品情報を決済機能を有する携帯端末で入手して購入したい場合もある。このように、映像表示装置と非接触カードの組み合わせにより、利用者に種々の利便性を提供すると共に映像情報の提供者にも種々の利益を与えることが可能である。
【０００６】
斯かる映像表示装置や映像表示方法に関連する従来技術は多くの技術文献に開示されている。ユーザ（顧客）が保持する決済機能を有するＩＣカードと無線通信し、表示部に表示された商品メニューの中から希望する商品を選択して購入可能にする入力処理装置が開示されている（例えば、特許文献１参照。）。また、情報ボードの複数の表示部に表示された情報を、非接触ＩＣカード内蔵のＰＤＡに提供可能にする情報提供システム及び方法、情報処理装置及び方法、通信端末及び方法並びにプログラムが開示されている（例えば、特許文献２参照。）。
【０００７】
また、ＩＣカードとカード読み書き相置換の通信状態やＩＣカードの内部状態に応じた処理（即ち、アプリケーションの起動、電話回線への接続、ネットワークへの接続）を円滑に開始させるＩＣチップ及び情報処理端末が開示されている（例えば、特許文献３参照。）。更に、配信希望を受け付ける際、利用者の配信先情報を広告主、店主又は展示主へ開示することを承諾又は拒否の意思表示を利用者に選択させることで、個人情報の漏洩防止を利用者側に明確化すると共に開示を承諾した際には広告主等から直接情報配信を受けることができるようにする情報は威信方法が開示されている（例えば、特許文献４参照。）。
【０００８】
【特許文献１】特開２０００−１３２３１０号公報
【特許文献２】特開２００３−８５６５９号公報
【特許文献３】特開２００３−１４１４７７号公報
【特許文献４】特開２００５−２２２３９４号公報
【発明の開示】
【発明が解決しようとする課題】
【０００９】
上述の如き従来技術によると、映像表示装置から非接触カード（ＩＣカード）の認識を行う際に、他のディスプレイ等の表示ユニットに非接触カードをタッチさせて確認を行っている。しかし、この方法では使用者は、アンテナユニット及びディスプレイユニットの両方を注視する必要があり、操作が複雑で好ましくない。また、同じユニットにアンテナ及びディスプレイを内蔵するものもあるが、実際には、ユニット内部でアンテナ部及び表示部は別々に分けられているために、効率的な課題の解決策になっていない。更に、表示部及びアンテナ部がそれぞれ独立していると、表示装置の面積の効率的な活用が不可能である等の課題を有する。
【００１０】
本発明は、従来技術の上述した課題に鑑みなされたものであり、斯かる課題を解消又は軽減し、表示装置の面積を必要最小限として円滑且つ効率的に利用可能にする映像表示装置及び方法を提供することを目的とする。
【課題を解決するための手段】
【００１１】
上述した課題を解決すると共に上述した目的を実現するために、本発明の映像表示装置及び方法は、次の如き特徴的な構成を採用している。
【００１２】
（１）本発明の映像表示装置は、フラットディスプレイ型の表示パネル部に所望の映像（文字情報を含む）を表示して利用者に提供する映像表示装置において、
前記表示パネルの背面に前記表示パネル部と略同じサイズのアンテナ部を前記表示パネル部と重ねて形成し、前記利用者が所持する携帯端末に内蔵する非接触型カードの情報を前記アンテナ部により読み取り可能にする映像表示装置。
（２）本発明の映像表示方法は、フラットディスプレイ型の表示パネル部及び該表示パネル部の背面に設けられた前記表示パネル部と略同じサイズのアンテナ部を有するディスプレイユニットの前記表示パネル部に表示される映像を利用者に提供する映像表示装置の映像表示方法において、
通常状態で前記表示パネル部に１以上の所望の映像を表示して前記利用者に提供するステップと、
前記表示パネル部に表示される映像に対応して起動される前記アンテナ部のタッチエリアを設定するステップと、
前記設定されたタッチエリアに前記利用者によりタッチされた非接触カードを前記アンテナ部により認識するステップとを含む映像表示方法。
【発明の効果】
【００１３】
本発明の映像表示装置及び方法によると、次の如き実用上の特有の効果を奏する。即ち、フラットディスプレイ型ディスプレイユニットの表示パネル部及び非接触カードのアンテナ部とを一体構造としている、即ちアンテナ部を表示パネル部と略同じサイズでその背面に設けているので、利用者の使い勝手（操作性）を著しく改善する。換言すると、非接触カードと共に使用される映像表示装置の設置を簡単にすると共に円滑に運用可能である。また、表示パネル部（又は表示画面）及びアンテナ部を略同じサイズに構成しているので、表示画面上の何れの部分でも非接触カードの認識を可能にする。更に、アンテナ部の複数のアンテナを使用頻度に応じて使い分けすることにより、アンテナの寿命を長くすることが可能である。
【発明を実施するための最良の形態】
【００１４】
以下、本発明による映像表示装置及び方法の好適な実施の形態の構成及び動作を、添付図面を参照して詳細に説明する。
【００１５】
先ず、図１は、本発明による映像表示装置の好適な実施の形態の全体構成を示す機能ブロック図である。この映像表示装置１は、主として各種情報（映像）を表示するディスプレイユニット１０及びその映像の利用者（即ち、ユーザが保持する携帯端末である例えば、ＰＤＡ等）２０に内蔵された非接触カード２１により構成されている。
【００１６】
本発明の映像表示装置１の主要部であるディスプレイユニット１０は、表示部（又は表示パネル部）１１、非接触カードのアンテナ部（以下、単に「アンテナ部」いう場合もある）１２、アンテナ検知機能（又はアンテナ検出部）１３、コントロール（制御）部１４及びアプリケーション１５を含んでいる。このディスプレイユニット１０は、後述する如く、必要に応じて他の機器・システム３０を起動するためのトリガ（起動信号）を出力する。
【００１７】
ディスプレイユニット１０の表示部１１は、好ましくは液晶表示パネル（ＬＣＤ）、プラズマディスプレイパネル（ＰＤＰ）、エレクトロルミネッセント（ＥＬ）表示パネル等のフラットディスプレイ型のパネルである。そして、表示部１１と非接触カードのアンテナ部１２は、図２に示す如く相互にラミネート（重ね合わせ）された被膜形状である。図２（Ａ）は、この表示部１１の背面に非接触カードのアンテナ部１２が重ねて配置されていることを模型的に示す正面側から見た斜視図であり、図２（Ｂ）は図２（Ａ）の断面図である。図２から理解される如く、非接触カードのアンテナ部１２は、表示部１１の背面において表示部１１の略全面に拡がる、即ち表示部１１と略同じサイズの平面形状に形成されている。斯かる構成により、ディスプレイユニット１０の構成を特に複雑且つ高価にすることなく、表示部１１又は表示画面上の何れの部分においても非接触カード２１の認識を可能にする。
【００１８】
次に、図１及び図２に示す映像表示装置１を構成する各構成部（要素）の主要機能を説明する。ディスプレイユニット１０は、後述の如く利用者２０に有益となる広告その他の映像情報を表示するユニットである。表示部１１は、映像情報を表示する。非接触カードのアンテナ部１２は、接触又は近接する非接触カード２１又はその非接触カード２１を内蔵する携帯端末等を認識するものであり、後述の如くこの特定の実施の形態では平面状に並べて形成された複数のアンテナにより構成されている。アンテナ検知機能（又はアンテナ検知部）１４は、非接触カードのアンテナ部１２を構成する複数のアンテナから該当する特定のアンテナを検知する。コントロール部１４は、上述した各部、即ち表示部１１、非接触アンテナ部１２及びアンテナ検知機能１３を制御する。アプリケーション１５は、コントロール部１４を制御する。
【００１９】
以上の説明から理解される如く、本発明による映像表示装置１の最大の特徴とするところは、ディスプレイユニット１０内に表示部１１及び非接触カードのアンテナ部１２を一体に設けることである。そして、非接触カードのアンテナ部１２は、図２に示す如く表示部１１の背面に、表示部１１と実質的に同じサイズで形成されている。このように、ディスプレイユニット１０の表示部１１の背面に、非接触カードのアンテナ部１２を設けることにより、表示部１１越しに非接触カード２１の認識が可能である。また、アンテナ部１２を表示部１１と同じサイズとしているので、利用者２０は、表示部１１の表示画面上のどの位置でも、非接触カード２１の認識が可能である。
【００２０】
図１及び図２を参照して、本発明による映像表示装置１について更に詳細に説明する。ディスプレイユニット１０の表示部（表示パネル部）１１には、例えば利用者２０が保持する携帯端末等に内蔵された非接触カード２１の認識（操作）方法の説明や利用者２０に有益な又は利用者２０が求めている広告・宣伝等の映像情報を表示する。非接触カード２１を認識する際には、その操作方法を説明する映像（文字情報を含む）を表示する。それ以外の期間には、その他の映像情報、例えば広告・宣伝、案内等のプロモーション映像を表示する。
【００２１】
次に、非接触カードのアンテナ１２は、上述の如く、ディスプレイユニット１０の表示部１１の背面に、表示部１１と略同じサイズで形成されている。非接触カードのアンテナ部１２は、例えば図３の如くＸ（横）軸及びＹ（縦）軸方向にマトリクス状に配置形成された複数のアンテナ１１１から構成されている。
【００２２】
次に、アンテナ検知機能１３の仕組みについて説明する。アプリケーション１５の作り込みによって、アンテナ部１１内にある複数のアンテナ１１１の内、該当する又は特定のアンテナのみを使用可能にする仕組みを設ける。図４（Ａ）の如く、表示部１１をＸ−Ｙ座標軸に見立てて、非接触カード２１の認識可能なエリアの制限を持たせる。例えば、図４（Ａ）に示す如く座標（Ｘa,Ｙb）から（Ｘc,Ｙd）の矩形エリアのみをタッチエリア１３１として、このタッチエリア１３１にタッチ（又は近接）する非接触カード２１を認識可能にする。アプリケーション１５は、ディスプレイユニット１０の表示部１１に表示された複数の映像、例えば複数の料理メニュー又は部屋番号と居住者氏名の映像が表示されたエリアを予め決められた順序で順次移動するようにアンテナ部１２をＯＮ／ＯＦＦ制御する。
【００２３】
また、図４（Ｂ）のように、複数並べられたアンテナ１１１の内、タッチエリア１３１に設定されたアンテナ（即ち、図４（Ｂ）中に●で表示）１１１のみをＯＮとして、非接触カード２１を認識可能となる。この際に、表示部１１には、例えば「ここにタッチ！」の如き文字を含む枠状の映像を利用者２０のために表示する。
【００２４】
次に、コントロール部１４の仕組みについて説明する。このコントロール部１４は、非接触カードのアンテナ部１２を構成する複数のアンテナ１１１の使用可否についての制御、非接触カード２１の認識等の制御を行っている。また、アプリケーション１５は、外部因子からの意思表示の統括制御、アンテナ１１１の使用可否について、コントロール部１４への指令を行う。また、必要に応じて非接触カード２１の認識に応じての他の機器・システム３０へトリガを伝達することも可能である。具体例を挙げれば、非接触カード２１をディスプレイユニット１０の表示部１１と一体形成されたアンテナ部１２で認識することにより、その利用者２０が予め登録して許可された者であるか否かを確認し、登録者であれば、例えばドアの電気錠（外部機器）の開錠を行う等のアプリケーションが可能である。また、他の例では、特定エリアに表示された商品の購入手続や特定店舗が取り扱う商品情報の利用者２０の携帯端末への取り込みである。
【００２５】
次に、図５乃至図７を参照して、本発明による映像表示装置の具体例を説明する。図５は、本発明による映像表示装置１の動作を示すフローチャートである。
【００２６】
最初に、非接触カードのアンテナ部１２の各アンテナ１１１はＯＦＦである（ステップＳ３１）。利用者２０が非接触カード２１を認識させようとした場合、ディスプレイユニット１０は利用者２０から何らかの意思表示を受け付ける。例えば、図６に示す表示部１１の画面のタッチ部１１４にタッチすることで、ディスプレイユニット１０は、利用者２０の意思表示を受け付ける、即ち外部因子が発生する（ステップＳ３２）。ディスプレイユニット１０が外部因子を受け付けた場合には、上述の如くアプリケーション１５のコントロールを行う（ステップ３３）。アンテナ検知機能１３により、認識範囲である該当するタッチエリア１３１の制御を行う（ステップＳ３４）。これに対応する非接触カードのアンテナ１２を構成する複数のアンテナ１１１の起動を行う（ステップＳ３５）。利用者２０が、非接触カード２１を非接触カードのアンテナ部１２へタッチさせた際に、ディスプレイユニット１０は、外部因子を受け付ける（ステップＳ３６）。この外部因子を受け付けた後、アプリケーション１５のコントロール（ステップＳ３７）により、外部の機器・システム３０へトリガを伝送させ（ステップＳ３８）、該当のアンテナをＯＦＦにして、その起動を終了させる（ステップＳ３９）。
【００２７】
図６は、通常状態におけるディスプレイユニット１０の表示部１１に表示される映像の一例を示す。この通常状態では、表示部１１の略全体に、例えば広告１１２等の１以上の映像が表示されている。更に、表示部１１の下方に利用者２０に対するプロンプト（例えば、「カードを読ませる場合にはタッチしてください」の文字）１１３が表示され、更にその下に「タッチ」の文字１１４が表示される。これにより、利用者２０に対してタッチエリアを示してタッチを促す。
【００２８】
図７は、図５のフローチャートを参照して上述したステップＳ３５における表示部１１の表示映像の具体例である。図６の映像（例えば、広告）１１２等に代わって上述した図４（Ｂ）に示す如く利用者２０の非接触カード２１が接触すべきタッチエリア１３１に「ここにタッチ！」の表示が現れる。
【００２９】
以上、本発明による映像表示装置及び方法の好適な実施の形態について詳述した。しかし、斯かる実施の形態は、本発明の単なる例示に過ぎず、何ら本発明を限定するものではないことに留意されたい。本発明の精神及び要旨を逸脱することなく、特定用途に応じて種種の変形変更が可能であること、当業者には容易に理解できよう。
【００３０】
上述した本発明の実施の形態ではディスプレイユニットの表示部の全面に単一の映像が表示されるものとして説明した。しかし、最近のディスプレイユニットは大型化して、複数の映像情報を同時に表示することも可能である。斯かる場合には、表示部１１を複数に分割してそれぞれ異なる映像を表示するので、表示部の分割に合わせて非接触カードのアンテナ部についても複数のエリアに分割するのが好ましい。その場合の一例を図８に示す。
【００３１】
図８に示す実施の形態では、マトリクス状に複数のアンテナを設置し、より使用エリアの自由度を高めることが可能である。他の実施の形態として、アンテナの数を少なくして、予めアンテナ毎の固定エリアを設ける。図８の如くアンテナ部１２をエリア１、エリア２、エリア３、…、エリア１３、…の如く一定数のエリアに分割する。分割された各エリアには、１つの非接触カード２１のアンテナが備わっている。アプリケーション１５による制御により、個々のアンテナの使用可否を決定する。アプリケーション１５の作り込みによって、例えば「エリア１３」を使用可能とすると、該当部分のアンテナが使用可能となる。この実施の形態は、先に説明した実施の形態より自由度は低いが、アンテナの数を少なくしたことで、実装が容易に行える。
【００３２】
本発明の映像表示装置及び方法は、多くの用途（アプリケーション）が可能である。近年、非接触型カードの需要が高まっており、様々な業態での使用が行われている。本発明は、ディスプレイの背面に非接触カードのアンテナを設置することで、画面越しに非接触カードの認識が行えることである。画面は、広告・宣伝等の映像配信としても利用可能である。例えば、キオスク端末、ＰＯＳ、カード認証セキュリティ技術等の分野に応用可能である。
【００３３】
本発明による映像表示装置及び方法は、上述した（１）及び（２）以外に、次のような特徴を有する。
（３）前記表示パネル部の背面に形成された前記アンテナ部は、略マトリクス状に形成された複数のアンテナよりなり、該複数のアンテナのうち選択されたエリアのアンテナをＯＮとして前記非接触カードの接触を検知する上記（１）の映像表示装置。
（４）前記表示パネル部の背面に形成された前記アンテナ部は、複数のエリア毎に並べて形成され、前記表示パネル部に表示される映像と対応させる上記（１）の映像表示装置。
（５）前記表示パネル部には、前記非接触カードの接触操作時に、該接触操作に関連する情報を表示する上記（１）、（３）又は（４）の映像表示装置。
（６）前記表示パネル部を含むディスプレイユニットは、前記表示パネル部及び前記アンテナ部に加えて、前記複数のアンテナのうち該当するアンテナを検知するアンテナ検知部及び前記各部の動作を制御するコントロール部を備える上記（１）乃至（５）の何れかの映像表示装置。
（７）前記ディスプレイユニットは、前記非接触カードの接触捜査の検知結果に基づいて他の機器・システムを起動するトリガを出力する上記（６）の映像表示装置。
（８）前記通常状態において表示される映像は、広告宣伝映像であり、前記非接触カードのタッチエリアは、前記表示パネル部に映像で表示する上記（２）の映像表示方法。
（９）前記タッチエリアのアンテナ部で前記非接触カードを認識したとき、他の機器を起動させるステップを更に含む上記（２）又は（８）の映像表示方法。
【図面の簡単な説明】
【００３４】
【図１】本発明による映像表示装置の好適な実施の形態の全体構成を示す機能ブロック図である。
【図２】図１に示す映像表示装置のディスプレイユニットの表示部及びアンテナ部を示し、（Ａ）は正面図、（Ｂ）は断面図である。
【図３】図１及び図２に示すアンテナ部の具体例を示す図である。
【図４】図２に示す表示部及びアンテナ部の説明図であり、（Ａ）はアンテナ部のタッチエリアと表示部の表示例を示し、（Ｂ）はタッチエリアとアンテナ部の各アンテナのＯＮ／ＯＦＦ状態を示す。
【図５】本発明による映像表示装置の動作を説明するフローチャートである。
【図６】通常状態におけるディスプレイユニットの表示部に表示される映像の一例を示す。
【図７】非接触カードを認識するディスプレイユニットの表示部のタッチエリアと表示映像の一例を示す。
【図８】複数のエリア毎にアンテナが分割形成された本発明の映像表示装置の他の実施形態の説明図である。
【符号の説明】
【００３５】
１    映像表示装置
１０    ディスプレイユニット（フラットディスプレイ）
１１    表示部（表示パネル部）
１２    非接触カードのアンテナ部
１３    アンテナ検出部
１４    コントロール部
１５    アプリケーション
２０    利用者（携帯端末）
２１    非接触カード（ＩＣカード）
３０    他の機器・システム
１１１  アンテナ
１１２  広告（映像）
１３１  タッチエリア（非接触カード認識エリア）
【図１】
0004826963.tif 000002
【図２】
0004826963.tif 000003
【図３】
0004826963.tif 000004
【図４】
0004826963.tif 000005
【図５】
0004826963.tif 000006
【図６】
0004826963.tif 000007
【図７】
0004826963.tif 000008
【図８】
0004826963.tif 000009